(57)【特許請求の範囲】
【請求項１】
支持部材に係止される上部フック片と、
吊り下げ対象物を係止する下部フック片と、
を備え、
前記上部フック片と下部フック片のジョイント部を、吊り下げ対象物の吊り下げ方向に沿う軸線回りに相対回転可能に組み付けた吊り下げフックにおいて、
前記上部フック片と下部フック片のうちの一方のジョイント部に、前記軸線と直交する突き合わせ面と、この突き合わせ面から前記軸線方向に沿って突出し軸方向に沿うスリットによって複数の分割片に分割された軸部と、この軸部の各分割片の先端から径方向外側に延出する係止爪と、を設け、
前記上部フック片と下部フック片のうちの他方のジョイント部に、前記軸線と直交し前記一方のジョイント部の突き合わせ面に突き合わせられる突き合わせ面と、
この突き合わせ面に形成され前記軸部が嵌入される軸穴と、
この軸穴の底部に連設されて前記分割片の係止爪を受容する受容空間と、
この受容空間に臨み前記軸穴からの前記係止爪の抜けを規制するとともに前記係止爪の回転方向の摺動を許容する環状規制壁と、を設け、
前記一方のジョイント部に、前記軸部のスリットに連続し当該ジョイント部の突き合わせ面よりも深く窪み、前記分割片の幅内の範囲にのみ部分的に形成される凹部を設け、
前記一方のジョイント部を下部フック片側に設け、前記一方のジョイント部の前記凹部の周囲をなす部分の外形を略半球状に形成したことを特徴とする吊り下げフック。
【発明の詳細な説明】
【技術分野】
【０００１】
この発明は、吊り下げ対象物を支持部材に回転可能に吊り下げるための吊り下げフックに関するものである。
【背景技術】
【０００２】
日常用品や小物等を支持部材に吊り下げる吊り下げフックとして、吊り下げ対象物を回転可能に吊り下げるものが知られている（例えば、特許文献１参照）。
【０００３】
特許文献１に記載の吊り下げフックは、支持部材に係止される上部フック片と、吊り下げ対象物を係止する下部フック片とを備え、上部フック片と下部フック片にそれぞれ突設された軸部が連結部材を介して回転可能に連結されている。具体的には、各軸部の先端部には抜け止めフランジが形成され、各抜け止めフランジが二つ割り構造の連結部材に相対回転可能に保持されるとともに、連結部材が筒部材によって締付け固定されている。
【０００４】
また、フック片を支持軸に回転可能に連結した吊り下げフックとして、フック片を支持軸にワンタッチで容易に組み付けられるようにしたものが知られている（例えば、特許文献２参照）。
【０００５】
特許文献２に記載の吊り下げフックは、支持軸側のジョイント部に、軸方向に沿うスリットによって複数の分割片に分割された軸部と、この軸部の各分割片の先端から径方向外側に突出する係止爪とが設けられ、フック片側のジョイント部に、支持軸側の軸部が嵌入される軸穴と、この軸穴の底部に連設されて支持軸側の係止爪を受容する受容空間と、この受容空間に臨み軸穴からの係止爪の抜けを規制しつつ係止爪の回転方向の摺動を許容する環状規制壁とが設けられている。したがって、この吊り下げフックにおいては、支持軸側の軸部をフック片側の軸穴内に押し込むことにより、フック片を支持軸に対して容易に組み付けることができる。
【特許文献１】実開昭６２−１９０５８１号公報
【特許文献２】特開２００５−１１９４４１号公報
【発明の開示】
【発明が解決しようとする課題】
【０００６】
しかし、特許文献１に記載の吊り下げフックは、部品点数が多く製品コストの高騰を招くうえ、上部フック片と下部フック片の組み付け作業が煩雑になる。
【０００７】
また、特許文献２に記載の吊り下げフックは、部品点数の増加や組み付け作業性の煩雑さの問題は解消されるものの、全体をコンパクトにするために軸部の長さを短くすると、軸穴に対する軸部の嵌入時に分割片に作用する応力が大きくなり、嵌入作業が難しくなるとともに、分割片に損傷が生じ易くなる。また、軸部の長さを単純に長くすると、ジョイント部の軸長が長くなるだけでなく、嵌入後に分割片に復元力が働きにくくなる。
【０００８】
そこで、この発明は、ジョイント部の軸長の増大やジョイント部相互の係合力の低下を招くことなく、上部フック片と下部フック片の組付けの容易化を図ることのできる吊り下げフックを提供しようとするものである。
【課題を解決するための手段】
【０００９】
上記の課題を解決する請求項１に記載の発明は、支持部材に係止される上部フック片と、吊り下げ対象物を係止する下部フック片と、を備え、前記上部フック片と下部フック片のジョイント部を、吊り下げ対象物の吊り下げ方向に沿う軸線回りに相対回転可能に組み付けた吊り下げフックにおいて、前記上部フック片と下部フック片のうちの一方のジョイント部に、前記軸線と直交する突き合わせ面と、この突き合わせ面から前記軸線方向に沿って突出し軸方向に沿うスリットによって複数の分割片に分割された軸部と、この軸部の各分割片の先端から径方向外側に延出する係止爪と、を設け、前記上部フック片と下部フック片のうちの他方のジョイント部に、前記軸線と直交し前記一方のジョイント部の突き合わせ面に突き合わせられる突き合わせ面と、この突き合わせ面に形成され前記軸部が嵌入される軸穴と、この軸穴の底部に連設されて前記分割片の係止爪を受容する受容空間と、この受容空間に臨み前記軸穴からの前記係止爪の抜けを規制するとともに前記係止爪の回転方向の摺動を許容する環状規制壁と、を設け、前記一方のジョイント部に、前記軸部のスリットに連続し当該ジョイント部の突き合わせ面よりも深く窪み、前記分割片の幅内の範囲にのみ部分的に形成される凹部を設け、前記一方のジョイント部を下部フック片側に設け、前記一方のジョイント部の前記凹部の周囲をなす部分の外形を略半球状に形成したことを特徴とする。
【００１０】
これにより、上部フック片と下部フック片を組み付ける場合に、他方のジョイント部の軸穴に一方のジョイント部の軸部の先端部を押し込むと、軸部を構成する複数の分割片が先端側を窄めるように撓み変形し、係止爪が軸穴から受容空間に抜けたところで各分割片が初期状態に復帰し係止片が環状規制壁によって抜けを係止されるようになる。分割片が軸穴に嵌入されて撓み変形する際には、撓み支点が、突き合わせ面よりも深く窪んだ凹部の底部分となる。また、この吊り下げフックの場合、突き合わせ面がスリットで分割されるものでないため、凹部の周囲には大きな復元力が作用する。
【００１２】
また、受容空間や環状規制壁を設けるために大容積を必要とし全体重量が重くなるジョイント部が上部フック片側となり、下部フック片側のジョイント部は相対的に小型・軽量化できるようになる。
【発明の効果】
【００１３】
請求項１に記載の発明によれば、各分割片の撓み支点が凹部の底部分となるため、軸部の軸長を延ばすことなく各分割片に作用する応力を分散させ、軸穴に対する軸部の嵌入作業の容易化と軸部の損傷防止を図ることができる。また、突き合わせ面にスリットを形成するのではなく、スリットに連続するように部分的に凹部を設けたため、軸穴に軸部を嵌入した後には、凹部の周囲に作用する大きな復元力によって分割片を初期状態に確実に復帰させることができる。
さらに、この発明の場合、軸部の嵌入時における撓み変形が一方のジョイント部の突き合わせ面にも現れるため、軸部の嵌入後に一方のジョイント部と他方のジョイント部の突き合わせ面同士を当接させることで分割片の撓み変形を矯正し、ジョイント部相互の係合力をより高めることができる。
【００１４】
また、一方のジョイント部の凹部の周囲をなす部分の外形を略半球状に形成したことから、軸部の嵌入時に分割片の付根側に作用する応力を凹部の周域に均等に分散させて大きな復元力を確実に得ることができる。
【００１５】
さらに、軸部を有する一方のジョイント部を下部フック片側に設けたため、下部フック片側をより小型・軽量化して、吊り下げ対象物の回転の円滑化を図ることができる。
【発明を実施するための最良の形態】
【００１６】
以下、この発明の一実施形態を図面に基づいて説明する。なお、以下の説明においては、特別に断らない限り、上下は、吊り下げフック１を実際に吊り下げて使用したときにおける上下を意味するものとする。
図１は、この発明にかかる吊り下げフック１を、電池式防虫器２（吊り下げ対象物）を吊り下げるに用いた様子を示すものであり、同図中３は、吊り下げフック１を係止するロッド状の支持部材を示す。電池式防虫器２は、防虫成分を保持させた基体を内部に収納し、電池でモーターを駆動させ、遠心力及び／又はファンによる風力を利用して防虫成分を外部に揮散させるものである。防虫成分としては、例えば、メトフルトリンやプロフルトリンのような揮発性ビレスロイド成分や天然ハーブ系防虫成分が上げられるが、勿論これらに限定されない。
【００１７】
吊り下げフック１は、図２〜図６にも示すように、鉤状の大形のフック部１０ａを有する上部フック片１０と、上部フック片１０のフック部１０ａよりも小形の鉤状のフック部１１ａを有する下部フック片１１と、を備えている。これらの上部フック片１０と下部フック片１１は合成樹脂材料によって形成されており、上部フック片１０と下部フック片１１の各付根部には、両フック片１０，１１を連結するジョイント部１２，１３がそれぞれ一体に設けられている。両ジョイント部１２，１３は、上部フック片１０と下部フック片１１を、吊り下げ対象物の吊り下げ方向に沿う軸線ｐ回りに相対回転可能に連結するようになっている。
【００１８】
下部フック片１１のジョイント部１３は、フック部１１ａが下端側に連結され上部に軸線ｐと直交する偏平な突き合わせ面１４が設けられた半球状のジョイント基部１５と、ジョイント基部１５の突き合わせ面１４の中心部から上方（軸線ｐに沿う方向）に突出する軸部１６と、を備えている。軸部１６は、軸方向に沿うスリット１７によって２つ分割片１６ａ，１６ｂに分割され、各分割片１６ａ，１６ｂの先端部には、軸部１６（分割片１６ａ，１６ｂ）に対して径方向外側に延出する略半円形状の係止爪１８が設けられている。この係止爪１８は、下面側が偏平に形成される一方で、上面側が軸部１６の中心に向かって緩やかに収束するテーパ状の曲面形状となっている。また、分割片１６ａ，１６ｂの相互に対向する面には、上端側に向かって両者の離間幅が次第に増大するように傾斜が設けられている。
【００１９】
また、ジョイント基部１５の上面中央の分割片１６ａ，１６ｂの間の領域には、分割片１６ａ，１６ｂを二分するスリット１７に連続し突き合わせ面１４よりも深く窪む断面略長方形状の凹部１９が形成されている。この凹部１９は、分割片１６ａ，１６ｂの幅内の範囲にのみ部分的に形成されている。
【００２０】
一方、上部フック片１０のジョイント部１２は円筒状に形成され、下端に軸線ｐと直交する偏平な突き合わせ面２０が設けられている。このジョイント部１２の外径は、下部フック片１１側のジョイント基部１５の上端部の外径と同径に形成され、ジョイント部１２とジョイント基部１５が突き合わせ面２０，１４で相互に突き合わされた状態において、両者の外面形状が滑らかに連続するようになっている。また、突き合わせ面２０の中心部には、軸線ｐに沿い下部フック片１１の軸部１６が嵌入される軸穴２２が形成され、ジョイント部１２の軸穴２２の底部位置には、軸穴２２から挿入された各分割片１６ａ，１６ｂの係止爪１８を受容する受容空間２３が形成されている。なお、軸穴２２の下端には、軸部１６の挿入を容易にするためにテーパ状のガイド斜面２２ａが設けられている。
【００２１】
受容空間２３は、円柱状のジョイント部１２の軸穴２２の底部に対応する位置に、直径方向に沿って形成された貫通孔２４によって形成されている。貫通孔２４は、上辺が下辺に対して短く、両側の上部コーナが緩やかに湾曲した略台形状の断面形状とされている。そして、ジョイント部１２には、上記の略台形状の貫通孔２４が形成されることにより、受容空間２３に下方側から臨む偏平な環状規制壁２５が形成されている。この環状規制壁２５は、軸部１６が軸穴２２に挿入されて分割片１６ａ，１６ｂの先端の係止爪１８が軸穴２２を抜けたときに、係止爪１８の下面が当接することで軸穴２２からの係止爪１８の抜けを規制するとともに係止爪１８の回転方向の摺動を許容する。
【００２２】
上部フック片１０と下部フック片１１を組み付ける場合には、上部フック片１０側のジョイント部１２の軸穴２２に下部フック片１１側の軸部１６の先端を押し込んで嵌入する。このとき、軸部１６を構成する各分割片１６ａ，１６ｂは係止爪１８の上部外周側の傾斜部分を軸穴２２の内壁によって押圧され、先端側を内側に窄めるように撓み変形することによって軸穴２２内に嵌入される。そして、分割片１６ａ，１６ｂの先端側の係止爪１８が軸穴２２を通り抜けると、図６に示すように、各分割片１６ａ，１６ｂが初期状態に弾性復帰して係止爪１８が受容空間２３内に位置され、その下面が環状規制壁２５の上面に当接するようになる。
【００２３】
分割片１６ａ，１６ｂが軸穴２２の内壁に押圧されて撓み変形する際には、図７に示すように、突き合わせ面１４よりも低位の凹部１９の底部分を支点ｃとして半球状のジョイント基部１５自体も撓み変形する。これにより、分割片１６ａ，１６ｂは突き合わせ面１４からの突出長さよりも長い支点距離Ｌをもって変形することになる。なお、このときのジョイント基部１５の撓み変形は凹部１９を中心として突き合わせ面１４を上方に反らせる変形となる。そして、係止爪１８が受容空間２３内に位置されて分割片１６ａ，１６ｂが弾性復帰する際には、ジョイント基部１５の撓みも初期状態に戻される。
【００２４】
こうして組み立てられた吊り下げフック１は、軸部１６と軸穴２２の嵌合部を中心とした上部フック片１０と下部フック片１１の相対回転が可能になり、しかも、下部フック片１１に作用する吊り下げ荷重が係止爪１８と環状規制壁２５の当接部を通して上部フック片１０に確実に支持されるようになる。
【００２５】
この吊り下げフック１は、前述のように軸部１６を軸穴２２に嵌入する際に、突き合わせ面１４よりも低位の凹部１９の底部分を支点ｃとして半球状のジョイント基部１５が撓み変形するようになっているため、軸部１６の軸長を延ばすことなく、嵌入時に各分割片１６ａ，１６ｂに作用する応力をジョイント基部１５の広い範囲に分散させることができる。このため、軸穴２２に対する軸部１６の挿入を容易化することができるとともに、軸部１６（分割片１６ａ，１６ｂ）の損傷を防止することができる。また、軸部１６の短縮によって小型化を図ることもできる。
【００２６】
また、この吊り下げフック１は、スリット１７に連続するように下部フック片１１の上面中央に部分的に凹部１９が設けられ、突き合わせ面１４の周域が分断されないようになっているため、軸穴２２に軸部１６を嵌入した後には、凹部１９の周囲に作用する大きな復元力によって分割片１６ａ，１６ｂを確実に初期状態に復帰させることができる。
【００２７】
特に、この実施形態の場合、凹部１９の周囲を囲むジョイント基部１５が半球状に形成されているため、軸部１６の嵌入時に分割片１６ａ，１６ｂの付根側に作用する応力をジョイント基部１５全体に均等に分散させ、より大きな復元力を得ることができる。
【００２８】
さらに、この吊り下げフック１は、前述のように凹部１９の底部分を支点ｃとして半球状のジョイント基部１５が突き合わせ面１４を上方に反らせるようにして撓み変形するため、軸部１６を軸穴２２に完全に嵌入した後に、下部フック片１１と上部フック片１０の突き合わせ面１４，２０同士を押し付けることにより、分割片１６ａ，１６ｂの撓み変形を矯正することができる。したがって、これにより係止爪１８と環状規制壁２５との係合を確実にし、上部フック片１０と下部フック片１１の結合力を高めることができる。
【００２９】
また、軸部１６や凹部１９を上部フック片１０側に形成し、軸穴２２や受容空間２３、環状規制壁２５等を下部フック片１１側に形成することも可能であるが、この実施形態の吊りげフック１は、形成のための大きな容積が必要となる軸穴２２や受容空間２３、環状規制壁２５等を上部フック片１０側に形成するようにしているため、上部フック片１０に支持される下部フック片１１側を小型・軽量化することができる。したがって、これにより吊り下げ対象物の回転の円滑化を図ることができる。
【００３０】
なお、この発明は上記の実施形態に限定されるものではなく、その要旨を逸脱しない範囲で種々の設計変更が可能である。
【図面の簡単な説明】
【００３１】
【図１】この発明の一実施形態の吊り下げフックの使用状態における斜視図。
【図２】同実施形態の吊り下げフックの分解状態での正面図。
【図３】同実施形態の吊り下げフックの分解状態での側面図。
【図４】同実施形態の上部フック片の下面図。
【図５】同実施形態の下部フック片の上面図。
【図６】同実施形態を示すものであり、図３の状態から下部フック片を９０°回転させたときにおける吊り下げフックの縦断面図。
【図７】同実施形態の下部フック片の正面図。
【符号の説明】
【００３２】
１…吊り下げフック
２…電池式防虫器（吊り下げ対象物）
３…支持部材
１０…上部フック片
１１…下部フック片
１２，１３…ジョイント部
１４…突き合わせ面
１６…軸部
１６ａ，１６ｂ…分割片
１７…スリット
１８…係止爪
１９…凹部
２２…軸穴
２３…受容空間
２５…環状規制壁
【図１】
0004812784.tif 000002
【図２】
0004812784.tif 000003
【図３】
0004812784.tif 000004
【図４】
0004812784.tif 000005
【図５】
0004812784.tif 000006
【図６】
0004812784.tif 000007
【図７】
0004812784.tif 000008